(57)【特許請求の範囲】
【請求項１】
計器類の端子板と、
この端子板に外側へ向けて配列された複数の端子金具からなり、上下又は縦横に複数列配列された端子金具と、
これら各端子金具を覆って前記端子板に被せられた端子カバーと、
を具備する計器類の端子カバー構造であり、
前記端子板は前記端子金具間を仕切る突出された外仕切片を有し、
前記端子カバーは、前記外仕切板の端がはまるスリットを有し、前記端子金具で形成された端の列における前記端子金具に相当する領域毎に切り欠き可能に形成されてなることを特徴とする計器類の端子カバー構造。
【請求項２】
前記端子カバーは、前記スリットによって分離されるとともに前記端子板本体に一体的に支持された切欠片を、個々の前記端子金具に相当する領域毎に有してなる請求項１記載の計器類の端子カバー構造。
【請求項３】
計器類の端子板と、
この端子板に外側へ向けて配列された複数の端子金具からなり、上下又は縦横に複数列配列された端子金具と、
前記端子板に被せられた端子カバー片と、
を具備する計器類の端子カバー構造であり、
前記端子板は前記端子金具間を仕切る突出された外仕切片を有し、
前記端子カバー片は、前記外仕切片がはまる切込みを有し、前記端子金具で形成される端子列の間に挿入するようにして両端が前記端子板に回転可能に支持されてなる計器類の端子カバー構造。
【請求項４】
計器類の端子板に外側へ向けて配列された複数の端子金具からなり上下又は縦横に複数列配列された端子金具を覆い、前記端子板に被せられる計器類の端子カバーであり、
前記端子カバーは、前記端子金具間を仕切るよう前記端子板に突設された外仕切片の端がはまるスリットを有し、個々の前記端子金具に相当する領域毎に切り欠き可能に形成されてなることを特徴とする計器類の端子カバー。
【請求項５】
前記端子カバーは、前記スリットによって分離されるとともに前記端子板本体に一体的に支持された切欠片を、個々の前記端子金具に相当する領域毎に有してなる請求項４記載の計器類の端子カバー。
【発明の詳細な説明】
【０００１】
【発明の属する技術分野】
本発明は計器類の端子カバー構造に係り、調節計等の計器類においてそのケースに複数列配置された外部接続用の端子金具を保護するカバー構造およびこれに用いる端子カバーの改良に関する。
【０００２】
【従来の技術】
従来、計器類の端子構造としては、箱形ケースの底部に外側へ向けて複数の端子金具を配列するとともに、これらの一部を形成する接点ばねをケース内側へ突出させ、ケース内部に配置され計器の電子回路を形成する回路基板をケース内底においてそれら端子金具の接点ばねに電気的に接触するように当接させて構成する、例えばプラグイン構成が良く知られている。
【０００３】
そして、計器類の搭載機能の多様化又は豊富化に伴い、現在では、複数枚の回路基板をケース内に所定の間隔で重ねるように配置することが行われており、これに対応させてケース底部には複数の端子金具からなる端子列を複数列状態で配列することが行われている。
【０００４】
しかも、それらケース底部の端子金具に操作者が触れたりジグ等が接触して不測の事態が発生しないよう、合成樹脂等の絶縁製端子カバーでそれら端子列を覆うことがよく行われている。
【０００５】
【発明が解決しようとする課題】
しかしながら、実際に計器類を使用する場合には、ケース底部の端子金具にケーブルを接続して導出するので、例えば計器類の端子列を接近させるようにして計器類を積層配置する場合には、下側の計器類に被せたケースが、上側の計器類の下側端子列から導出したケーブルの邪魔になり、うまくケーブルを導出できなかったり、互いの計器類が斜めに配置される等の不具合が生じ易い。
【０００６】
本発明はそのような課題を解決するためになされたもので、上側計器類の端子列に対して絶縁カバー機能を発揮できるうえ、下側となった計器類に被せた同種の端子カバーが上側計器類の端子列から導出するケーブルの邪魔になり難い端子カバー構造の提供を目的とする。
【０００７】
【課題を解決するための手段】
このような課題を解決するために本発明に係る第１の端子構造は、計器類の端子板と、この端子板に外側へ向けて配列された複数の端子金具からなり上下又は縦横に複数列配列された端子金具と、これら各端子金具を覆ってその端子板に被せられた端子カバーとを具備しており、その端子板には端子金具間を仕切る外仕切片が突設されてなり、その端子カバーは、それら外仕切板の端がはまるスリットを有し、それら端子金具で形成された端の列におけるそれら端子金具に相当する領域毎に切り欠き可能になっている。
【０００８】
また、第１の構成において、上記端子カバーには、そのスリットによって分離されるとともに端子板本体に一体的に支持された切欠片を、個々の端子金具に相当する領域毎に設けることが好ましい。
【０００９】
そして、本発明に係る第２の構成は、計器類の端子板と、この端子板に外側へ向けて配列された複数の端子金具からなり上下又は縦横に複数列配列された端子金具と、その端子板に被せられた端子カバー片とを具備し、その端子板には上記端子金具間を仕切る外仕切片が突設されてなり、その端子カバー片は、それら外仕切片がはまる切込みを有し、それら端子金具で形成される端子列間に挿入するようにして両端をその端子板に回転可能に支持させた構成となっている。
【００１０】
また、本発明の第３の構成は、計器類の端子板に外側へ向けて配列された複数の端子金具からなり上下又は縦横に複数列配列された端子金具を覆い、その端子板に被せられる計器類の端子カバーであり、その端子金具間を仕切るよう端子板に突設された外仕切片の端がはまるスリットを有し、個々のそれら端子金具に相当する領域毎に切り欠き可能に形成されている。
この第３の構成では、それらスリットによって分離されるとともに端子板本体に一体的に支持された切欠片を、個々の端子金具に相当する領域毎に有して構成すると良い。
【００１１】
【発明の実施の形態】
以下、本発明の実施の形態を図面を参照して説明する。
【００１２】
図１は本発明に係る計器類の端子カバー構造について第１の構成例を示す概略分解斜視図である。
図１において、計器類のケース１は、合成樹脂から箱形に成形加工されてなり、合成樹脂から例えばブロック状に成形加工された端子板３が、その底部を塞ぐようにはめ込まれている。
【００１３】
ケース１と端子板３は一体的に形成可能であり、一体的又は別体に限らず端子板３は実質的にケース１の一部を構成している。
端子板３には、この外側から複数の導電性端子金具５がはめ込まれており、図２に示すように、例えば横６個上下（又は縦横）２列の端子金具列Ａが形成されている。これら各端子金具５には角座付きの端子ねじ７がねじ込まれている。
【００１４】
各端子金具５は、図３および図４に示すような構成を有し、全て同一の形状となっている。
すなわち、各端子金具５は、中間片９と、この中間片９の上端から鋭角に延びる第１の開放片１１と、これと対面するように中間片９の下端から鈍角で延びる第２の開放片１３を一体的に有し、その中間片９が第１および第２の開放片１１、１３に対して斜めになるよう、弾性に富む導電板から概略コ字状に屈曲形成されている。
【００１５】
これら中間片９、第１および第２の開放片１１、１３の内側には、これらより多少厚みの厚い導電材料からやはりコ状に屈曲形成された補助板１５が当接され、端子金具５を機械的に補強している。
【００１６】
補助板１５は必須ではなく、中間片９、第１および第２の開放片１１、１３を多少厚く形成すれば不要であるが、本発明では便宜上この補助板１５および又は端子ねじ７を含んで端子金具５とする。
なお、図中の符号１７ａ、１７ｂは第１、第２の開放片１１、１３から突き出るよう外側へ切り起こされた係止片である。
【００１７】
端子金具５の第１の開放片１１の先端側は、内側に折り返すよう屈曲された細長いばね部１９となっており、この先端が若干く字状に第１の開放片１１方向へ屈曲されて第２の開放片１３に対面するとともに、後述する回路基板２１上の図示しない電極に当接する。
【００１８】
端子板３には、縦方向に延びる縦仕切板２３によって横方向に例えば６個に分割されるとともに、これら縦仕切板２３を上下に分割する横仕切板２５によって上下２段に分かれており、これら縦横仕切板２３、２５によって上述した端子金具５の保持部２７が形成されている。ここで縦方向および横方向は便宜上のものであり、縦横逆の場合もある。
【００１９】
各保持部２７において、縦仕切板２３には上述した端子金具５の中間片９、第１および第２の開放片１１、１３によって形成されるコ字形状に合わせたガイド部２９が対向するように突設されており、端子板３の外側から端子金具５の挿入を容易にするとともに、安定的な保持を確保し、上述した端子金具列を形成させている。
【００２０】
端子板３の外側には、図１および図３に示すように、縦仕切板２３から延長するようにして外仕切片３１が突設されており、図中横方向の各端子金具５間が仕切られている。
【００２１】
端子板３の各保持部２７において、図３に示すように、端子板３内壁および横仕切板２５には、係止段部３３ａ、３３ｂが形成されており、収納された端子金具５の係止片１７ａ、１７ｂが係止されて外側への動きが規制されている。
【００２２】
そして、第１および第２の開放片１１、１３間を狭めるようにこれらを曲げれば、係止段部３３ａ、３３ｂと係止片１７ａ、１７ｂの係止状態が外れて、端子金具５を取外すことが可能である。
【００２３】
縦仕切板２３には、図３および図４に示すように、端子金具５の第１および第２の開放片１１、１３間に位置する部分において、回路基板２１が挿入されこれを受ける挿入溝３５が形成されている。
【００２４】
上述した角座付き端子ねじ７のねじ込まれた端子金具５は、図４および図５に示すように、端子板３の外側から各保持部２７に対してガイド部２９に沿って挿入されるとともに、係止片１７ａ、１７ｂを係止段部３３ａ、３３ｂに係止させるようにして端子板３に保持され、図３に示すように、ケーブル３７の芯線を角座付き端子ねじ７で締付固定して使用される。
【００２５】
図３中の符号３７ａはケーブル３７の絶縁被覆から突出する芯線部分を保護する保護部であり、必須ではない。
【００２６】
各端子金具５は、同じ位置状態で各保持部２７へ挿入されており、中間片９が斜め上方向を向くとともにこの中間片９が端子板３本体より突出するように、かつまた上下列で隣合う端子金具５間では第２の開放片１３と第１の開放片１１が対向するように上下２段に配列されている。
【００２７】
しかも、図中の下列に位置する端子金具５は、図１に示すように、上列の端子金具５に対し端子板３すなわちケース１内側へずらせて配置されている。
【００２８】
各端子板３において、各端子金具５の配列方向両端には、外仕切片３１とほぼ同形状の保持片３９が互いに対向するように突出しており、両保持片３９先端の上下部分には、図１に示すような端子カバー４１の係合する係合孔４３が互いに位置を揃えて貫通形成されている。
【００２９】
端子カバー４１は、図６〜図１１に示すように、例えば合成樹脂からなる長方形板状のカバー本体４５と、このカバー本体４５の対向する短辺から立設する側部４７と、一方の長辺から側部４７と同方向へ延びる複数の切欠片４９を有して形成されている。
【００３０】
端子カバー４１の切欠片４９は、各端子板３に配列された端子金具列Ａの各端子金具５毎に対応するとともにこれらと重なる領域に揃えて形成されており、後述する図１４に示すように、端子カバー４１が端子板３に被せられたとき、それら各端子金具５に対応した領域を覆うように長く突出している。
【００３１】
しかも、切欠片４９は、端子板３から突出する外仕切板３１がはまるスリット５１であって、カバー本体４５までＬ字形に延びるスリット５１によって各々分離されており、Ｌ字屈曲部近傍で連結部５３を介してカバー本体４５と一体的に連結されている。
【００３２】
端子カバー４１において、切欠片４９を挟んで両側に位置する側部４７は、端子板３に形成された両保持片３９の間にはめ込まれるよう、先端が段部を介して薄く形成されており、この薄肉部４７ａからは両保持片３９の係合孔４３にはまる係合突起５５が外側へ突設している。
【００３３】
カバー本体４５の裏面側には、端子板３の縦仕切板２３や横仕切板２５と揃う位置に縦横の補強片５７ａ、５７ｂが一体的に形成され、端子カバー４１の強度を確保している。
【００３４】
端子カバー４１は、図１２に示すように、切欠片４９の突出先端を持上げるようにしてカバー本体４５との連結部５３を破断させると、カバー本体４５から切欠片４９が分離除去され、図１３に示すように、切欠片４９のあった位置に切欠部５９が形成されるようになっている。切り欠きは、手作業又はタッター等のジグを用いることが可能である。
【００３５】
このような端子カバー４１は、側部４７の先端に形成した薄肉部４７ａを端子板３の両保持片３９間にはめるとともに、側部４７の係合突起５５を保持片３９の係合孔４３にはめると、スリット５１には外仕切片３１の端がはまり、端子金具５を覆った状態で端子板３に固定される一方、端子板３に固定する前後で、切欠片４９を切り欠けば、図中の上列に位置する端子金具５に相当する領域の覆いがなくなる（図３、図１５、図１６参照）。
【００３６】
なお、この端子カバー４１の側部４７を狭めたり、端子板３の両保持片３９間を広げれば、端子カバー４１を端子板３から外すことができる。
【００３７】
次に、本発明の第１の構成に係る端子カバー構造の使用例を説明する。
まず、図１５および図１６に示すように、２個の計器類のケース１を計器パネル６１の前面側から挿入し、ケース１の図示しないフランジ部をパネル６１の前面側に係止させた状態で、ケース１の両側面部にスライド自在に取付けた抑え部材６３をパネル６１の裏面側へ前進動させて圧接させるとともにケース１の係止溝６５に係止させ、２個のケース１を上下方向に密接した状態で計器パネル６１に挟持させる。
【００３８】
上述した図１および図１４は、１個のケース１を上下方向において抑え部材６３でパネル６１に挟持させる構成である。
【００３９】
上側のケース１の端子板３にはケーブル３７を接続して端子カバー４１をはめるととにも、下側のケース１ついてはケーブル３７を接続し、予め切欠片４９を切り欠いた端子カバー４１を端子板３にはめる。端子板３への端子カバー４１のはめ込みは、ケース１のパネル６１への挟持の前後で任意である。
【００４０】
すると、図１７に示すように、上側のケース１の端子板３において、下側の端子金具列の端子金具５に接続したケーブル３７が斜め下方へ導出されても、下側ケース１における上側の端子金具列の端子金具５に相当する領域の覆いがなくなり、上側のケース１の端子板３から延びるケーブル３７にとって下側ケース１の端子カバー４１が邪魔にならないうえ、上側ケース１の端子板３もこれにはめた端子カバー４１によって保護される。
【００４１】
下側のケース１における上側の端子金具列の端子金具５に相当する領域では、その覆いがなくなるが、上側のケース１やこれにはめた端子カバー４１、さらに下側ケースにはめられた端子カバー４１によって保護が図られる。
【００４２】
このような本発明の第１の構成に係る端子カバー構造は、計器類のケース１に固定した端子板３と、この端子板３に外側へ向けて複数列状態で配列された複数の端子金具と、これら各端子金具５を覆って端子板に着脱自在に被せられた端子カバー４１とを具備しており、この端子カバー４１には、端子板から端子金具間を仕切って突出する外仕切片の端がはまる複数のスリットを設け、それらスリット５１でＬ字形に形成されるとともに部分的に連結させた切欠片４９を設け、この切欠片４９を上側の端子金具列の各端子金具５領域毎に対応させたから、次のような効果が得られる。
【００４３】
すなわち、ケース１を単体でパネル６１に固定する構成では、図１４に示すように、切欠片４９を付けたままの端子カバー４１を被せて使用すれば、従来通り、端子金具５の保護を図ることが可能となり、作業者が端子金具５に不用意に触れたり、落下物が接触して動作が不安定になったり安全性に支障のある事態を回避できる。
【００４４】
そして、２個のケース１を上下方向に密接した状態で計器パネル６１に挟持させる構成においては、図１６および図１７に示すように、上側ケース１の端子板３が端子カバー４１によって保護される一方、下側のケース１については、これにはめる前後で端子カバー４１の切欠片４９を切り欠けば、下側のケース１における上列の端子金具５に相当する領域の覆いがなくなり、上側のケース１の端子板３から延びるケーブル３７にとって下側ケース１の端子板３の端子カバー４１が邪魔にならないうえ、下側ケース１の端子板３も端子カバー４１によって保護される。
【００４５】
しかも、端子カバー４１には個々の端子金具５に相当する領域に切欠片４９を形成したから、目的とする端子金具５毎に個別に正確に覆いを除去することが可能となるし、切り欠き易くなる。
【００４６】
さらに、端子カバー４１は、コ字状に切込まれるとともに端子カバー４１自体に部分的に支持された切欠片４９を有するから、目的とする端子金具５毎に簡単に覆いを正確に除去することが可能となる。
【００４７】
なお、端子カバー４１に部分的に連結した状態で形成する切欠片４９の連結構成は任意であり、例えば片持ち支持させるように形成可能である。
【００４８】
次に、本発明に係る第２の構成としての端子カバー構造を説明する。
この構成は、図１８に示すように、端子板３の対向する各保持片３９において、これに形成した係合孔４３の間でしかも上下の端子金具５の列間に寄った位置に係止孔６７を揃えて貫通形成する一方、保持片３９間に相当する長さを有し、外仕切片３１がはまる切込み６９を設け、先端部の両側には係止孔６７にはまる係止突起７１を突設した端子カバー片７３を組合せたものである。
【００４９】
そして、図１８〜図２０に示すように、切込み６９を外仕切片３１にはめるようにして端子カバー片７３の先端を保持片３９間に挿入し、係止突起７１を係止孔６７にはめると、端子カバー片７３が下列の端子金具５に乗った状態となって斜めに配置されるとともに、フラップ状に回転可能に支持される。
【００５０】
そのため、上列の端子金具５に接続されたケーブル３７の導出が簡単となるうえ、上列の端子金具５に接続されたケーブル３７が下列の端子金具５と接触し難くなり、上列の端子金具５に接続されたケーブル３７に保護部３７ａを被せなくとも絶縁を確保できる。
【００５１】
また、下列の端子金具５に複数のケーブル３７を接続した渡り配線をしても、それらが上列の端子金具５に接触したり干渉せず、使い勝手が良好となる。
しかも、端子カバー片７３がフラップ状に回転可能に支持されているから、ケーブル３７を接続するために、一々、端子カバー片７３を取外さなくとも接続可能となり、作業性が良好である。
【００５２】
なお、本発明においては、第１の構成と第２の構成を各々に別個に実施することも一緒に実施することも可能である。
本発明の実施に当っては、ケース１や端子板３の形状や構造は任意であり、上述した端子金具５を保持収納できる構成であれば良い。
【００５３】
【発明の効果】
以上説明したように本発明に係る第１の構成は、計器類の端子板に外側へ向けて取付けられた複数の端子金具からなる端子金具列を上下又は縦横に配列し、これら各端子金具列を覆ってその端子板に被せられた端子カバーとを有し、その端子板には端子金具間を仕切る外仕切片を突設させ、その端子カバーには、それら外仕切板の端がはまるスリットを設け、それら端子金具列のうち端の列における端子金具に相当する領域毎に切り欠き可能に形成したから、上側の計器類の端子列に対して絶縁カバー機能を発揮できるし、下側の計器類の端子列に対して同じ端子カバーに使用しても、上側の計器類の端子列から導出するケーブルの邪魔とならず、ケーブルの導出が簡単となる一方、絶縁保護も確実となる利点があり、端子カバーの共通化も達成してコスト低減を図ることができる。
しかも、個々の端子金具に相当する領域毎に欠き可能にその端子カバーが形成されているから、任意の端子金具に対応して切欠部を形成可能となり、上述した効果に加えて、より一層保護効果を期待できる。
さらに、第１の構成において、上記端子カバーには、それらスリットによって分離されるとともに端子板本体に一体的に支持された切欠片を、個々の端子金具に相当する領域毎に設ければ、切欠部の形成が一層簡単となる。
そして、本発明に係る第２の構成は、計器類の端子板に外側へ向けて取付けられた複数の端子金具からなり上下又は縦横に配列された端子金具列と、その端子板に被せられた端子カバー片とを具備し、その端子板には上記端子金具間を仕切る外仕切片を突設させ、その端子カバー片にはそれら外仕切片がはまる切込みを設け、それら端子金具列間に挿入するようにして端子カバー片の両端をその端子板に回転可能にその端子板に支持させたから、上列の端子金具に接続されたケーブルの導出が簡単となるうえ、上列の端子金具に接続されたケーブルが下列の端子金具５と接触し難い。
また、本発明に係る第３の構成は、計器類の端子板に外側へ向けて取付けられた複数の端子金具からなり上下又は縦横に配列された端子金具列を覆い、その端子板に被せられた計器類の端子カバーであり、その端子金具間を仕切るよう端子板に突設された外仕切片の端がはまるスリットを有し、個々のそれら端子金具に相当する領域毎に切り欠き可能に形成したから、端子金具に相当する領域を切り欠けば、端子カバーをした状態でケーブルの接続が可能なったり他の電子機器からのケーブルの邪魔にならない。
この第３の構成において、それらスリットによって分離されるとともに端子板本体に一体的に支持された切欠片を、個々の端子金具に相当する領域毎に有して端子カバーを構成すれば、切欠部の形成が一層簡単となる。
【図面の簡単な説明】
【図１】本発明に係る第１の構成である端子カバー構造の実施の形態を示す概略分解斜視図である。
【図２】図１中の端子板を示す図である。
【図３】図１の端子板を示す断面図（図２中のＩＩＩ−ＩＩＩ間断面）である。
【図４】図１中の端子板を示す要部分解斜視図（一部断面で示す。）である。
【図５】図１中の端子板を示す斜視図である。
【図６】図１中の端子カバーを示す斜視図である。
【図７】図１中の端子カバーを示す斜視図である。
【図８】図１中の端子カバーを示す上面図である。
【図９】図１中の端子カバーを示す断面図（図８中のＩＸ−ＩＸ間断面）である。
【図１０】図１中の端子カバーを示す正面図である。
【図１１】図１中の端子カバーを示す断面図（図１０中のＸＩ−ＸＩ間断面）である。
【図１２】図１中の端子カバーの切欠片を切り欠く状態を示す図である。
【図１３】図１中の端子カバーについて切欠片を切り欠いた状態を示す斜視図である。
【図１４】本発明に係る端子カバー構造の使用例を説明する斜視図である。
【図１５】本発明に係る端子カバー構造の使用例を説明する分解斜視図である。
【図１６】本発明に係る端子カバー構造の使用例を説明する斜視図である。
【図１７】図１６における端子カバー構造の断面図（図２中のＩＩＩ−ＩＩＩ間断面と同じ断面）である。
【図１８】本発明に係る第２の構成である端子カバー構造を説明する要部分解斜視図である。
【図１９】図１８に係る端子カバー構造の使用例を説明する斜視図である。
【図２０】図１９の端子カバー構造の断面図（図２中のＩＩＩ−ＩＩＩ間断面と同じ断面）である。
【符号の説明】
１  ケース
３  端子板
５  端子金具
７  ねじ
９  中間片
１１  第１の開放片
１３  第２の開放片
１５  補助板
１７ａ、１７ｂ  係止片
１９  ばね部
２１  回路基板
２３  縦仕切板
２５  横仕切板
２７  保持部
２９  ガイド部
３１  外仕切片
３３ａ、３３ｂ  係止段部
３５  挿入溝
３７  ケーブル
３７ａ  保護部
３９  保持片
４１  端子カバー
４３  係合孔
４５  カバー本体
４７  側部
４７ａ  薄肉部
４９  切欠片
５１  スリット
５３  連結部
５５  係合突起
５７ａ、５７ｂ  補強片
５９  切欠部
６１  パネル
６３  抑え部材
６５  係止溝
６７  係止孔
６９  切込み
７１  係止突起
７３  端子カバー片
Ａ  端子金具列
【図１】
0003546426.tif 000002
【図２】
0003546426.tif 000003
【図３】
0003546426.tif 000004
【図４】
0003546426.tif 000005
【図５】
0003546426.tif 000006
【図６】
0003546426.tif 000007
【図７】
0003546426.tif 000008
【図８】
0003546426.tif 000009
【図９】
0003546426.tif 000010
【図１０】
0003546426.tif 000011
【図１１】
0003546426.tif 000012
【図１２】
0003546426.tif 000013
【図１３】
0003546426.tif 000014
【図１４】
0003546426.tif 000015
【図１５】
0003546426.tif 000016
【図１６】
0003546426.tif 000017
【図１７】
0003546426.tif 000018
【図１８】
0003546426.tif 000019
【図１９】
0003546426.tif 000020
【図２０】
0003546426.tif 000021